(57)【要約】【課題】  生地が肌から汗や水分を吸収したときに、生地が着用者の肌にくっつき、汗または水分が吸収された生地の付着により生じる不快さを改善する。【解決手段】  内面１４と外面１６を有し、繊維材料を含む親水性基材１２、および内面１４に埋め込まれた複数の疎水性パターン１８であって、親水性基材１２により吸収された汗２０を単方向性の毛管作用によって、矢印により示されるように、内面１４から外面１６に移送するように構成された疎水性パターン１８を備えた単方向性の吸汗性・速乾性織物１０を提供する。疎水性パターン１８が内面１４の１０％から９０％を占めることが好ましい。疎水性パターン１８が、フルオロカーボン、炭化水素、シリコーン、および疎水性高分子からなる群より選択される材料を含むことも好ましい。【選択図】図１
2011094285.tif 000002
【特許請求の範囲】
【請求項１】
内面と外面を有し、繊維材料を含む親水性基材、および
前記内面に埋め込まれた複数の疎水性パターンであって、前記親水性基材により吸収された汗を単方向性の毛管作用によって前記内面から前記外面に移送するように構成された疎水性パターン、
を備えた単方向性の吸汗性・速乾性織物。
【請求項２】
前記疎水性パターンが三日月形であることを特徴とする請求項１記載の単方向性の吸汗性・速乾性織物。
【請求項３】
前記疎水性パターンが凹形であることを特徴とする請求項１記載の単方向性の吸汗性・速乾性織物。
【請求項４】
前記疎水性パターンが絡み合い様式で配列されていることを特徴とする請求項１記載の単方向性の吸汗性・速乾性織物。
【請求項５】
前記疎水性パターンがマトリクス様式で配列されていることを特徴とする請求項１記載の単方向性の吸汗性・速乾性織物。
【請求項６】
前記疎水性パターンが前記内面の１０％から９０％を占めることを特徴とする請求項１記載の単方向性の吸汗性・速乾性織物。
【請求項７】
前記疎水性パターンが前記内面の６０％から９０％を占めることを特徴とする請求項１記載の単方向性の吸汗性・速乾性織物。
【請求項８】
前記疎水性パターンが前記内面の２０％から６０％を占めることを特徴とする請求項１記載の単方向性の吸汗性・速乾性織物。
【請求項９】
前記疎水性パターンが、フルオロカーボン、炭化水素、シリコーン、および疎水性高分子からなる群より選択される材料を含むことを特徴とする請求項１記載の単方向性の吸汗性・速乾性織物。
【請求項１０】
前記繊維材料が、ナイロン繊維、ポリエステル繊維、アラミド繊維、レーヨン繊維、竹繊維、ポリ乳酸繊維、または「テンセル」繊維であることを特徴とする請求項１記載の単方向性の吸汗性・速乾性織物。
【請求項１１】
単方向性の吸汗性・速乾性織物を製造する方法であって、複数の疎水性パターンが、繊維材料を含む親水性基材の内面に埋め込まれており、前記疎水性パターンが、前記親水性基材により吸収された汗を単方向性の毛管作用によって前記内面から外面に移送するように構成されていることを特徴とする方法。
【請求項１２】
前記疎水性パターンが三日月形であることを特徴とする請求項１１記載の方法。
【請求項１３】
前記疎水性パターンが凹形であることを特徴とする請求項１１記載の方法。
【請求項１４】
前記疎水性パターンが絡み合い様式で配列されていることを特徴とする請求項１１記載の方法。
【請求項１５】
前記疎水性パターンがマトリクス様式で配列されていることを特徴とする請求項１１記載の方法。
【請求項１６】
前記疎水性パターンが前記内面の１０％から９０％を占めることを特徴とする請求項１１記載の方法。
【請求項１７】
前記疎水性パターンが前記内面の６０％から９０％を占めることを特徴とする請求項１１記載の方法。
【請求項１８】
前記疎水性パターンが前記内面の２０％から６０％を占めることを特徴とする請求項１１記載の方法。
【請求項１９】
前記疎水性パターンが、フルオロカーボン、炭化水素、シリコーン、および疎水性高分子からなる群より選択される材料を含むことを特徴とする請求項１１記載の方法。
【請求項２０】
前記繊維材料が、ナイロン繊維、ポリエステル繊維、アラミド繊維、レーヨン繊維、竹繊維、ポリ乳酸繊維、または「テンセル」繊維であることを特徴とする請求項１１記載の方法。
【発明の詳細な説明】
【技術分野】
【０００１】
本発明は、速乾性織物とその製造方法に関し、より詳しくは、単方向性の吸汗性・速乾性快適織物およびその製造方法に関する。布帛
【背景技術】
【０００２】
近年、生活水準の上昇に伴い、人々は、吸汗性、速乾性、および着用者の肌にくっつかないことなどの快適特性に関して、生地により多くを望んでいる。着用者の肌は比較的滑らかなので、生地が肌から汗や水分を吸収すると、生地が着用者の肌にくっつく。この汗や水分が吸収された生地の付着を、着用者は不快に感じてしまう。
【発明の概要】
【発明が解決しようとする課題】
【０００３】
この不快さを解決するために、従来技術では、織物に溝または凸部を形成して、吸汗機能と速乾機能を果たしている。しかしながら、溝や凸部は不快なざらざらした感触を生じ、製造プロセスが比較的複雑であり、織物は比較的重くなり、そのために用途が限られている。別の従来技術では、多層機能性織物を使用して、吸汗機能と速乾機能を果たしている。しかしながら、その製造プロセスは比較的複雑であり、その織物は比較的重くなり、そのために用途が限られている。
【課題を解決するための手段】
【０００４】
本発明のある態様は、単方向性の吸汗性・速乾性織物およびその製造方法を提供する。本発明のこの態様による単方向性の汗吸収性・速乾性織物は、内面と外面を有する親水性基材およびその内面に埋め込まれた複数の疎水性パターンを備え、この親水性基材は繊維材料を含み、疎水性パターンは、単方向性の毛管作用によって、親水性基材により吸収された汗を内面から外面に移送するように構成されている。
【０００５】
本発明のこの態様による単方向性の吸汗性・速乾性織物を製造する方法は、繊維材料を含む親水性基材の内面に複数の疎水性パターンが埋め込まれており、この疎水性パターンが、単方向性の毛管作用によって、親水性基材により吸収された汗を内面から外面に移送するように構成されていることを特徴とする。
【０００６】
先の記載は、以下の発明を実施するための形態がよりよく理解されるように、本発明の特徴と技術的利点の概要をかなり広く説明している。本発明の追加の特徴と利点が、ここに記載され、本発明の特許請求の範囲の主題を構成する。開示された概念および特定の実施の形態は、本発明の同じ目的を達成するための他の構造またはプロセスを改変または設計するための基礎として容易に利用されることが理解されるべきである。そのような同等構造は、添付の特許請求の範囲に述べられた本発明の精神および範囲から逸脱しないことが当業者には理解されよう。
【図面の簡単な説明】
【０００７】
【図１】本発明のある実施の形態による単方向性の吸汗性・速乾性織物の断面図
【図２】本発明のある実施の形態による単方向性の吸汗性・速乾性織物の平面図
【図３】本発明の別の実施の形態による単方向性の吸汗性・速乾性織物の平面図
【図４】本発明の別の実施の形態による単方向性の吸汗性・速乾性織物の平面図
【発明を実施するための形態】
【０００８】
図１は、本発明のある実施の形態による単方向性の吸汗性・速乾性織物１０の断面図である。図２は、本発明のある実施の形態による単方向性の吸汗性・速乾性織物１０の平面図である。本発明のある実施の形態において、単方向性の吸汗性・速乾性織物１０は親水性基材１２および複数の疎水性パターン１８を含み、親水性基材１２は内面１４と外面１６を有し、疎水性パターン１８は内面１４に埋め込まれている。内面が着用者の肌２２に触れたときに、疎水性パターン１８は、図１の矢印により示されるように、親水性基材１２に単方向性の毛管作用によって汗２０を吸収させ、吸収した汗を親水性基材１２の内面１４から外面１６に移送させることができる。
【０００９】
本発明のある実施の形態において、親水性基材１２は、ナイロン繊維、ポリエステル繊維、アラミド繊維、レーヨン繊維、竹繊維、ポリ乳酸繊維、またはテンセル（登録商標）繊維などの繊維材料を含む。本発明のある実施の形態において、疎水性パターン１８は、フルオロカーボン、炭化水素、シリコーン、および疎水性高分子からなる群より選択される材料を含み、ホットスタンピング技法によってマトリクス様式で内面１４に形成しても差し支えない。本発明のある実施の形態において、疎水性パターン１８は内面１４の１０％から９０％を占める。本発明のある実施の形態において、疎水性パターン１８は内面１４の６０％から９０％、または内面１４の２０％から６０％を占める。
【００１０】
図３は、本発明の別の実施の形態による単方向性の吸汗性・速乾性織物３０の平面図である。図１における単方向性の吸汗性・速乾性織物１０は、マトリクス様式で親水性基材１２に埋め込まれた円形の疎水性パターン１８を使用しているのに対し、図３における単方向性の吸汗性・速乾性織物３０は、絡み合い様式で親水性基材３２に埋め込まれた凹形の疎水性パターン３４を含んでいる。
【００１１】
図４は、本発明の別の実施の形態による単方向性の吸汗性・速乾性織物４０の平面図である。図１における単方向性の吸汗性・速乾性織物１０は、マトリクス様式で親水性基材１２に埋め込まれた円形の疎水性パターン１８を使用しているのに対し、図４における単方向性の吸汗性・速乾性織物４０は、絡み合い様式で親水性基材４２に埋め込まれた凹形の疎水性パターン４４を含んでいる。
【００１２】
本発明とその利点を詳しく説明してきたが、添付の特許請求の範囲により定義された本発明の精神および範囲から逸脱せずに、様々な変更、置換および改変を行えることが理解されよう。例えば、上述したプロセスの多くを、異なる方法論で実施したり、他のプロセスにより置き換えたり、それらを組み合わせても差し支えない。
【００１３】
さらに、本発明の範囲は、本明細書に記載されたプロセス、装置、製造、物質の組成、手段、方法および工程の特定の実施の形態に制限されることを意図したものではない。ここに記載された対応する実施の形態と実質的に同じ機能を果たすかまたは実質的に同じ結果を達成する、既存のまたは後に開発される、プロセス、装置、製造、物質の組成、手段、方法、または工程を、本発明にしたがって利用してよいことが本発明の開示から当業者に容易に認識されるであろう。したがって、添付の特許請求の範囲は、その範囲に、そのようなプロセス、装置、製造、物質の組成、手段、方法、または工程を含めることが意図されている。
【符号の説明】
【００１４】
１０，３０，４０    単方向性の吸汗性・速乾性織物
１２，３２，４２    親水性基材
１４    内面
１６    外面
１８，３４，４４    疎水性パターン
２０    汗
２２    肌
【図１】
2011094285.tif 000003
【図２】
2011094285.tif 000004
【図３】
2011094285.tif 000005
【図４】
2011094285.tif 000006